(57)【特許請求の範囲】
【請求項１】
サンプルホールド回路（１）は、
サンプルモード及びホールドモードの間で切り換えるように構成されたトランジスタ（１１）と、
上記サンプルモードでは、上記トランジスタのソース端子における電圧とは独立である上記トランジスタのソース端子及びゲート端子の間の電圧レベルを保持するように構成され、上記ホールドモードでは、上記トランジスタをオフするように構成されたブートストラップ回路（２）とを備え、
上記ブートストラップ回路は、上記ホールドモード中に、所定の充電電圧（Ｖｃｈ）までプリチャージされるように構成されたブートストラップ容量（２１）を備え、
上記ブートストラップ容量は、上記サンプルモード中に、上記ソース端子及び上記ゲート端子の間に接続され、
上記ブートストラップ回路は、上記ブートストラップ容量がプリチャージされる上記所定の充電電圧を生成するためのスイッチドキャパシタチャージポンプ（２２）を備え、
上記スイッチドキャパシタチャージポンプは、第１の（Ｃｃｈ）キャパシタ及び第２の（Ｃｃａｌ）キャパシタを備え、
上記第２の（Ｃｃａｌ）キャパシタは可変な容量を有するサンプルホールド回路。
【請求項２】
上記第１の（Ｃｃｈ）キャパシタは供給電圧（Ｖｄｄ）まで充電されるように構成され、上記第２の（Ｃｃａｌ）キャパシタは放電されるように構成され、
上記第１及び第２のキャパシタは、電荷再分配により上記所定の充電電圧を生成するように並列接続されて構成される請求項１記載のサンプルホールド回路。
【請求項３】
上記第１及び第２のキャパシタは、上記サンプルモード中に充電及び放電され、上記ホールドモード中に並列接続されるように構成される請求項２記載のサンプルホールド回路。
【請求項４】
上記第１及び第２のキャパシタは、供給電圧（Ｖｄｄ）まで充電されるように構成され、電荷再分配により上記所定の充電電圧を生成するように直列接続されて構成される請求項１記載のサンプルホールド回路。
【請求項５】
上記第１及び第２のキャパシタは、上記サンプルモード中に充電され、上記ホールドモード中に並列接続されるように構成される請求項４記載のサンプルホールド回路。
【請求項６】
上記ブートストラップ容量（２１）は、トランジスタの複数の端子にわたって電圧差を分圧するように構成された複数のトランジスタを介して、上記ソース端子及び上記ゲート端子の間に接続可能である請求項４又は５記載のサンプルホールド回路。
【請求項７】
請求項１〜６のうちの１つに記載のサンプルホールド回路をそれぞれ備える複数のチャネルを備える、時間インターリーブ型アナログ・ディジタル変換器（ＡＤＣ）。
【発明の詳細な説明】
【技術分野】
【０００１】
本発明は、概して、高速アナログ・ディジタル変換器の分野に関する。
【背景技術】
【０００２】
ソフトウェア無線において、アナログ・ディジタル変換器（ＡＤＣ）は、自動利得制御（ＡＧＣ）を簡単化するため、かつ、フィルタリング要件を緩和するために、数ｍＷの電力供給に対して、少なくとも毎秒２００メガサンプルの速度と、実現可能なだけの高い解像度とを必要とする。さらに、このＡＤＣがさらにずっと低い帯域幅標準を量子化する必要があるので、動的な解決方法が望ましい。
【０００３】
そのような高速ＡＤＣでは、インタリービングが広く使用される。高速インターリーブ型ＡＤＣでは、複数のサブＡＤＣを交互に動作させることで、実効ＡＤＣサンプリング周波数は増大される。さらに、完全に動的なインターリーブ型ＡＤＣは特別な関心が持たれているが、これは、それらの全電力消費量が並列チャネルの個数に非依存であり、各個別チャネルのための速度要件が緩和されるからである。しかしながら、インターリーブ型ＡＤＣは、概して、チャネル間のミスマッチ、利得ミスマッチ、及び帯域幅ミスマッチから影響を受ける。ＤＣオフセット及び利得ミスマッチは、周波数独立であり、したがって、ディジタル領域では容易に較正されることが可能である。帯域幅ミスマッチは、周波数依存であり、ディジタル的に較正されるには複雑なアルゴリズムが必要である。
【０００４】
帯域幅ミスマッチは、複数のインターリーブ型サブＡＤＣのサンプリング回路のサンプリング容量及びサンプリングスイッチ抵抗の間のミスマッチによって生じさせられる。サンプリング容量及びサンプリングスイッチ抵抗が低域通過フィルタを形成するので、サンプリング回路間の帯域幅ミスマッチは、各サブＡＤＣにおいて異なる周波数応答を生じさせる。したがって、入力信号は異なって減衰させられ、結果として生じる低域通過フィルタが入力信号に対してより大きな減衰及び遅延の効果を有するより高い周波数では、誤差をもたらすことになる。従って、インターリーブ型ＡＤＣの高周波入力性能を制限するスプリアストーンが生じさせられる。
【０００５】
複数のインターリーブ型サブＡＤＣの間の帯域幅ミスマッチに加えて、サンプリング回路は、十分に良好な線形性を有するように設計されなければならない。実際に、サンプリング回路は常に高調波歪みを導入し、それは、周波数領域において、供給された信号周波数の倍数におけるスプリアストーンとして現れる。この歪みがサンプリングされた電圧に直接的に追加されるので、それは、変換器の全体的な線形性に影響する。非特許文献１では、サンプリングで導入された高調波歪みを著しく削減する、ブートストラップされたサンプリングスイッチが提案された。このブートストラップされたスイッチのアプローチ（又はその何らかの変形）は、高い線形性を目標とするほぼすべてのＡＤＣ設計で使用される。ブートストラップされたアプローチは、サンプリングスイッチのために入力独立のゲート・ソース電圧を提供することで、信号独立のスイッチ抵抗を保証する。
【０００６】
したがって、高度に線形のインターリーブ型ＡＤＣは、優れた高調波線形性と、インターリーブされたチャネル間の優れた帯域幅マッチングとを組み合わせる必要がある。前者は、信号独立のサンプリングスイッチにおける高いゲート・ソース電圧を有するブートストラップされたサンプリングスイッチを設計することで達成可能である。後者は、インターリーブされたチャネルの帯域幅を調節することで達成可能である。この調整は、サンプリング段の高調波性能を下げずに行われるべきである。
【０００７】
図１は、複数のサンプリング回路１を備える２倍インターリーブ型ＡＤＣのための典型的なサンプリングネットワーク１０を示す。各サンプリング回路１は、ブートストラップ回路２と、サンプリングスイッチ１１及びサンプリングキャパシタ１２の直列接続とからなる。トラッキングフェーズ中において（ＣＬＫｉｎｔ１，２＝１）、サンプリングスイッチはオンし、各サンプリングキャパシタにおける電圧は入力電圧Ｖｉｎに追従する。ホールドフェーズが開始した直後に（ＣＬＫｉｎｔ１，２＝０）、スイッチ１１はオフし、サンプリングされた電圧を保持する。良好な線形性を達成するために、多くの高性能ＡＤＣが、典型的には、図２に示すようなブートストラップ回路２を使用する。ホールドフェーズ中において（φ＝１である場合）、ブートストラップキャパシタ（Ｃｂｓ）２１に充電するために、固定された電荷電圧Ｖｃｈが使用され、同時に、サンプリングスイッチをオフするために、ブートストラップ出力Ｖｂｓは接地に接続される。トラッキングフェーズ中に、ブートストラップキャパシタ２１は、スイッチトランジスタの入力及びそのゲートの間に接続されている。Ｃｂｓへ蓄えられた電荷に起因して、ブートストラップ出力電圧Ｖｂｓは、Ｖｉｎ＋Ｖｃｈに接近する。したがって、スイッチトランジスタ１１のゲート・ソース電圧Ｖｇｓは一定（≒Ｖｃｈ）に保たれる。一定のＶｇｓを保持することは、一定のサンプリングスイッチ抵抗を保持することで、サンプリングスイッチの信号依存の非線形性を低減させる。サンプリング回路１の帯域幅は、主として、サンプリングスイッチのオン抵抗（Ｒｏｎ）及びサンプリング容量（Ｃｓ）の積によって定義される。従って、インターリーブ型チャネル間のこれらのサンプリング回路のミスマッチは、帯域幅ミスマッチの主原因である。Ｒｏｎ×Ｃｓの積をすべてのサンプリング回路で同じにし、かつ、入力信号の周波数範囲にわたって一定にするように、Ｒｏｎ又はＣｓ又はそれらの両方を何らかの方法で最適化できた場合、優れた帯域幅マッチング及び高調波線形性を保証することができる。
【０００８】
従来、サンプリングスイッチトランジスタのオン抵抗を調整することで、帯域幅ミスマッチを較正しようとされていた。可能な実装は特許文献１で与えられる。この出願は、多数のサブＡＤＣ回路を含む時間インターリーブ型ＡＤ変換器を開示している。各サブＡＤＣ回路はサンプルホールド（Ｓ／Ｈ）回路を含む。各Ｓ／Ｈ回路の周波数応答を調節するために、ブートストラップ回路が提供される。ブートストラップ回路は、サンプリングスイッチにわたる比較的一定のゲート・ソース電圧を保持し、したがって、サンプルホールド回路の線形性を保持するために使用される。ブートストラップ回路の効率は、スイッチゲートにおける容量に選択的に容量を追加できるように、キャパシタバンクを含むトリム負荷によって調節されることが可能である。ブートストラップの出力に接続された寄生容量（Ｃｐａｒ）を考慮すると、サンプリングスイッチのゲート電圧Ｖｂｓは次式により計算される。
【０００９】
Ｖｂｓ＝Ｃｂｓ／（Ｃｂｓ＋Ｃｐａｒ）×（Ｖｉｎ＋Ｖｃｈ）      （１）
【００１０】
特許文献１で提案されるようにＣｂｓ又はＣｐａｒの容量値を変更することは、明らかに、Ｖｂｓを変化させ、したがってサンプリング回路の帯域幅を変化させる。
【先行技術文献】
【特許文献】
【００１１】
【特許文献１】米国特許出願公開第２０１３／０１４１２６１号明細書
【特許文献２】米国特許第８２４８２８２号明細書
【非特許文献】
【００１２】
【非特許文献１】"A 1.5-V, 10-bit, 14.3-MS/s CMOS Pipeline Analog-to-Digital Converter" (A.M. Abo et al., JSSC, Vol. 34, No. 5, May 1999)
【非特許文献２】"A 12b 1GS/s SiGe BiCMOS Two-Way Time-Interleaved Pipeline ADC" (R.Payne et al., ISSCC2011, pp.182-184)
【発明の概要】
【発明が解決しようとする課題】
【００１３】
このアプローチには２つの問題がある。第１に、トリム可能な負荷をＣｂｓ及びＣｐａｒに追加することは、必然的に、サンプリング回路の高調波性能を低下させる。これは、ブートストラップ回路が、Ｃｂｓの上部プレートにおける寄生キャパシタ及びサンプリングスイッチゲートにおける寄生キャパシタに大きく依存するからである。トリム可能な負荷がこれらの寄生成分を必然的に増大させるので、これらのトリム可能な負荷を有するブートストラップ回路によって導入される高調波歪みは、そのような負荷なしのブートストラップ回路の場合よりも必然的に悪化するであろう。第２に、サンプリングの瞬間を発生させるためにサンプリングスイッチゲートが接地される場合、このスイッチは、所定の電荷をサンプリングキャパシタに注入する。注入された電荷は、Ｃｂｓ／（Ｃｂｓ＋Ｃｐａｒ）×Ｖｉｎの項を含むＶｂｓに比例するので、両方のチャネルにおいてＣｂｓ／（Ｃｂｓ＋Ｃｐａｒ）が同じではない場合、この電荷注入は何らかのチャネル利得ミスマッチを生じさせる。その結果、ＡＤＣの線形性は、ある周波数において最適化されている場合であっても、他の一部の周波数において低下する可能性がある。利得ミスマッチの影響が入力周波数に非依存であるので（これは、より低い周波数入力において特にあてはまる）、較正後のインタリービングスパー（spur）は、著しく悪化する可能性があり、較正なしのインタリービングスパーよりも悪化する。これは、広い入力頻度範囲にわたって良好な線形性も必要とされる場合、この従来技術文献で提案された帯域幅ミスマッチの較正がうまく作用しないことを意味する。
【００１４】
特許文献２は、ブラインドの帯域幅ミスマッチ推定から調節することができる、調整可能な帯域幅を有するトラック及びホールド（Ｔ／Ｈ）アーキテクチャを有する、時間インターリーブ型Ａ／Ｄ変換器を提示している。各ＡＤＣ分岐は、その各トラック及びホールド回路に接続されたブートストラップ回路を備える。コントローラは、サンプリングスイッチのインピーダンスを調節するサンプリングスイッチのゲート電圧を制御する制御電圧を、ブートストラップ回路へ供給する。提案された解決方法は、主として、ブートストラップキャパシタとサンプリングスイッチのゲートノードとの間に挿入されたトランジスタのゲート電圧を調整し、また、トランジスタのソース電圧は、サンプリングスイッチのゲートノードとブートストラップキャパシタの上部プレートとの間のスイッチをディセーブルにする。従って、主要な調整機構は、ブートストラップキャパシタの上部プレートとゲートノードとの間の抵抗であり、それはサンプリングスイッチのターンオフ時間を変調する。トラッキング中におけるサンプリングスイッチのゲート電圧はわずかに影響を受けるだけである。これは、この解決方法が、オン抵抗における変動を直接的には補償せず、むしろその影響を補償しようとすることを意味する。
【００１５】
非特許文献２では、ＤＡＣ電圧電源を有するブートストラップ回路が開示される。ブートストラップ回路におけるトランジスタに対する不適当なストレスなしに信頼できる動作を保証するために、このＤＡＣ電圧入力は、必ず、与えられた技術の公称供給電圧よりも小さくなければならない。これは、ブートストラップ回路に電力を供給するＤＡＣが、Ｖｂｓに係る上述の等式（１）におけるＶｃｈを低下させることによりサンプリング帯域幅だけを調整できるが、Ｖｃｈを低下させることにより、サンプリング回路の高調波線形性も低下させる、ということを意味する。さらに、このアプローチは、価値のある電力及び面積を費やして、ブートストラップ回路に電力供給可能な電圧ＤＡＣを必要とする。
【００１６】
従って、インターリーブ型ＡＤＣにおいてサンプリング帯域幅を調整するための技術、すなわち、
ａ）関心がもたれた入力周波数範囲にわたって線形性を低下させず、
ｂ）ブートストラップ電圧を低下させることでサンプリング高調波歪みを悪化させることなく、
ｃ）大幅な回路オーバヘッド、例えば追加の電圧ＤＡＣ又は他の複雑な回路を必要とせず、
ｄ）サンプリングスイッチのオン抵抗を直接的に変更するためにトラックモードにおいてサンプリングスイッチのゲート電圧を調整する
技術に対する必要性が存在する。
【００１７】
本発明の実施形態の目的は、サンプリング帯域幅を調整するためにインターリーブ型ＡＤＣにおいて使用可能であり、上述の要件のうちの１つ以上を満たすサンプルホールド回路を提供することにある。他の目的は、そのようなサンプルホールド回路を備えるインターリーブ型ＡＤＣを提供することにある。
【課題を解決するための手段】
【００１８】
上述の目的は本発明に係る解決方法によって達成される。
【００１９】
第１の態様では、本発明はサンプルホールド回路に関する。サンプルホールド回路は、サンプルモード及びホールドモードの間で切り換えるように構成されたトランジスタと、上記サンプルモードでは、上記トランジスタのソース端子における電圧とは独立である上記トランジスタのソース端子及びゲート端子の間の電圧レベルを保持するように構成され、上記ホールドモードでは、上記トランジスタをオフするように構成されたブートストラップ回路とを備える。上記ブートストラップ回路は、上記ホールドモード中に、所定電圧までプリチャージされるように構成されたブートストラップ容量を備える。上記ブートストラップ容量は、上記サンプルモード中に、上記ソース端子及び上記ゲート端子の間に接続される。上記サンプルホールド回路は、上記ブートストラップ回路が、上記所定電圧を生成するためのスイッチドキャパシタチャージポンプを備えることを特徴とする。
【００２０】
提案された解決方法は、ブートストラップ容量にプリチャージするために本質的に電圧に影響するので、それは、実際に、どの周波数でも線形性を低下させることなく、サンプリング帯域幅の調整を可能にする。さらに、それは、ブートストラップ容量にプリチャージする電圧が少なくとも供給電圧に等しい場合、高調波歪みを悪化させない。さらに、それは、電圧ＤＡＣなどのような追加の複雑な回路を必要としないので、低オーバヘッドで実装される。それは、サンプリングスイッチのトラックモードゲート電圧を調整することで、帯域幅ミスマッチを直接的に補償する。この電圧を調整することは、サンプリングスイッチのオン抵抗を変化させる。
【００２１】
好ましい実施形態において、上記スイッチドキャパシタチャージポンプはプログラミング可能である。
【００２２】
好ましくは、上記スイッチドキャパシタチャージポンプは第１及び第２のキャパシタを備える。
【００２３】
１つの実施形態では、上記第２のキャパシタはプログラミング可能である。
【００２４】
１つの実施形態では、上記第１のキャパシタは供給電圧まで充電されるように構成され、上記第２のキャパシタは放電されるように構成され、それにより、上記第１及び第２のキャパシタは、電荷再分配により上記所定電圧を生成するように並列接続されて構成される。優位点として、このとき、上記第１及び第２のキャパシタは、上記サンプルモード中に充電及び放電され、上記ホールドモード中に並列接続されるように構成される。
【００２５】
他の実施形態では、上記第１及び第２のキャパシタは、供給電圧まで充電されるように構成され、電荷再分配により上記所定電圧を生成するように直列接続されて構成される。このとき、上記第１及び第２キャパシタは、好ましくは、上記サンプルモード中に充電され、上記ホールドモード中に直列接続されるように構成される。
【００２６】
好ましい実施形態において、上記ブートストラップ容量は、トランジスタの複数の端子にわたって電圧差を分圧するように構成された複数のトランジスタを介して、上記ソース端子及び上記ゲート端子の間に接続可能である。 
【００２７】
他の態様では、本発明は、前述のサンプルホールド回路をそれぞれ備える複数のチャネルを備える、時間インターリーブ型アナログ・ディジタル変換器に関する。
【００２８】
ここまで、本発明及び先行技術に対して達成されたその利点を要約する目的で、本発明のある目的及び利点を説明した。もちろん、必ずしもすべてではないそのような目的あるいは利点が本発明の任意の特定の実施形態に従って達成されてもよいということが理解されるべきである。したがって、例えば、当業者は、ここに教示されたか示唆された可能性がある他の目的あるいは利点を必ずしも達成することなく、ここに教示されるような１つの利点あるいは一群の利点を達成するか最適化するような方法で、本発明を具体化するか実施してもよいということを認識するだろう。
【００２９】
本発明の上述の態様及び他の態様は、以下に説明された１つ又は複数の実施形態から明らかになり、また、その実施形態を参照して解明される。
【図面の簡単な説明】
【００３０】
【図１】典型的な２倍インターリーブ型Ａ／Ｄ変換器のためのサンプリング段を示す図である。
【図２】高性能ＡＤＣで一般的に使用されるブートストラップ回路を示す図である。
【図３】本発明に係るサンプルホールド回路の概略的なブロック図である。
【図４】本発明のサンプルホールド回路の実施形態を示す図である。
【図５】サンプリングキャパシタミスマッチの場合（左側のプロット）及びブートストラップ電圧ミスマッチの場合（右側のプロット）について、入力周波数ｆｉｎの関数として、インタリービングスパーの大きさ（ＨＤｉｎｔ）のシミュレーション結果を示す図である。
【図６】オーバードライブ電圧Ｖｃｈの関数として全高調波歪率（ＴＨＤ）のシミュレーション結果を示す図である。
【図７】本発明のサンプルホールド回路の実施形態を示す図である。
【図８】本発明のサンプルホールド回路の実施形態を示す図である。
【発明を実施するための形態】
【００３１】
ここで、本発明が、添付の図面を参照して、実施例としてさらに説明される。さまざまな図面において、同様の参照番号は同様の構成要素を示す。
【００３２】
本発明は、特定の実施形態に関して、ある図面を参照して説明されるだろう。しかし、本発明は、それのみに限定されず、請求項によってのみ限定される。
【００３３】
さらに、詳細な説明及び請求項の用語「第１」、「第２」、などは、同様の構成要素を識別するために使用され、必ずしも、時間的、空間的、序列、又は他の任意の方法で、順序を記述するために使用されるのではない。このように使用された用語は適切な状況下で交換可能であること、及び、ここに説明された本発明の実施形態は、ここに説明又は図示されたものとは異なる順序の動作が可能であることは、理解されるべきである。
【００３４】
請求項で使用した用語「備える」は、その後に列挙した手段に限定するように解釈されるべきでないことに注意すべきであり、それは他の構成要素あるいはステップを除外しない。従って、それは、言及したように記載した特徴、整数、ステップ、あるいは構成要素の存在を特定すると解釈されるが、１つ以上の他の特徴、整数、ステップ、あるいは構成要素、あるいはそのグループの存在もしくは追加を除外することを妨げない。従って、「手段Ａ及びＢを備える装置」という表現の範囲は、構成要素Ａ及びＢからのみ構成される装置に限定されるべきではでない。それは、本発明に関して、装置の関連する構成要素がＡ及びＢのみであることを意味する。
【００３５】
この明細書の全体にわたって「１つの実施形態」あるいは「ある実施形態」と言及するとき、実施形態に関して説明された特定の特徴、構造、あるいは特性が本発明の少なくとも１つの実施形態に含まれることを意味する。従って、この明細書の全体にわたる様々な場所において「１つの実施形態において」又は「ある実施形態において」という言い回しが現れることは、必ずしもすべて同じ実施形態に言及しているのではないが、そうである可能性もある。更に、特定の特徴、構造、あるいは特性は、本開示の１つ以上の実施形態から当業者には明らかになるように、任意の適切な方法において組み合わされてもよい。
【００３６】
同様に、本発明の例示の実施形態の詳細な説明において、開示を合理化し、本発明の様々な態様の１つ以上についての理解を援助する目的で、本発明の様々な特徴が、単一の実施形態、図面、あるいはその説明にまとめられているということは認識されるべきである。しかしながら、この開示の方法は、請求項に記載された発明が各請求項において明示的に記載したものより多くの特徴を必要とする意図を反映しているとは解釈されるべきではない。むしろ、添付の請求項が反映するように、本発明の態様は、前に開示した単一の実施形態のすべての特徴未満のものにある。したがって、詳細な説明に続く請求項は、これによって、各請求項が本発明の個別の実施形態として独自に成立するように、この詳細な説明に明示的に組み込まれる。
【００３７】
更に、ここに説明されたいくつかの実施形態が他の実施形態に含まれた一部の特徴を含み、他の特徴を含んでいないが、異なる実施形態の特徴の組み合わせは、当業者によって理解されるように、本発明の範囲内にあり、かつ異なる実施形態を形成することを意図している。例えば、添付の請求項において、請求項に記載された実施形態のうちのどれも任意の組み合わせとして使用することができる。
【００３８】
本発明のある特徴あるいは態様を説明する場合の特定の用語の使用は、その用語が関連付けられた本発明の特徴又は態様の任意の特定の特性を含むように限定されるように当該用語がここに再定義されたということを意味するものとして解釈されるべきでないことに注意すべきである。
【００３９】
ここに提供される説明では、多数の特定の詳細事項が述べられる。しかしながら、本発明の実施形態はこれらの特定の詳細事項なしで実施されてもよいことが理解される。他の例において、この説明についての理解を不明瞭にしないようするために、公知の方法、構造、及び技術は詳細には示していない。
【００４０】
インターリーブ型ＡＤＣのための高度に線形のサンプリングネットワークを設計することは、２つの異なる歪みの影響を考慮することを必要とする。第一に、各個別チャネルにおける高調波歪みは十分に低くなければならない。周波数領域において、この高調波歪みは、サンプリング周波数の倍数においてスプリアストーンとして現われ、潜在的には、より低いディジタル出力周波数として誤検出される可能性がある。高調波歪みは、ブートストラップ回路を用いて信号独立である高いゲート・ソース電圧をサンプリングスイッチに提供することによって、低減されることが可能である。第２に、インターリーブ型サンプリング回路はすべて、帯域幅ミスマッチのスパーを回避するために同じ帯域幅を有するべきである。これらのスパーを削減することは、サンプリング回路の十分に小さな固有の帯域幅変動を保証すること、又は、これらのサンプリング回路のための制御可能な帯域幅を実現することを必要とする。これらの要件は、ブートストラップ電圧Ｖｂｓ＝Ｃｂｓ／（Ｃｂｓ＋Ｃｐａｒ）×（Ｖｃｈ＋Ｖｉｎ）のための要件に変換可能である。このブートストラップ電圧は、十分に小さい高調波歪みを保証するために高くなければならず、また、それは、インターリーブされたチャネルのサンプリング回路間のマッチングを可能にするために調整可能でなければならない。先に説明したように、特許文献１でのようなＣｂｓ／（Ｃｂｓ＋Ｃｐａｒ）の項の任意の部分を調整することは、チャネル間の較正依存の利得ミスマッチにもたらすので不適当である。
【００４１】
本発明では、帯域幅ミスマッチは、Ｖｂｓの信号独立の部分を調整することによって、すなわち、ブートストラップキャパシタ２１に印加されるＶｃｈを調整することによって、較正される。したがって、帯域幅ミスマッチの較正後にインタリービングスパーによって生じる線形性の劣化を回避する、信号独立の調整が達成される。提案する解決方法は、スイッチドキャパシタチャージポンプ２２を用いることでＶｃｈの調整を達成する。電圧ＤＡＣ又は他の複雑な回路が必要とされないので、大幅な回路オーバヘッドは回避される。さらに、Ｖｃｈを公称供給Ｖｄｄよりもブーストすることで、信頼性の問題を回避しながら、サンプリング帯域幅の減少が回避される。
【００４２】
ここで採用したアプローチが図３に示され、ここでは、本発明に係るサンプルホールド回路１の概略的なブロック図を提供する。本方式は、サンプリングトランジスタ１１、サンプリングキャパシタＣｓ１２、及びブートストラップ回路２を備える。ブートストラップ回路は、ブートストラップ容量２１及び容量性のチャージポンプ（ＣＰ）２２を備える。ブートストラップ容量（Ｃｂｓ）２１は、ホールドフェーズ中に、チャージポンプを用いてＶｃｈまでプリチャージされる。トラッキングフェーズ中に、ブートストラップ容量は、サンプリングトランジスタ１１のソース及びゲート電圧の間に接続され、（Ｖｉｎに等価な）ソース電圧とは独立のゲート・ソース電圧Ｖｇｓを提供する。ホールドフェーズ中に、サンプリングトランジスタはオフされ、これにより、取得した電圧Ｖｉｎをサンプリングキャパシタ１２上に保持する。
【００４３】
図４は、Ｖｃｈ較正の簡単化された実装を示す。帯域幅較正のためにＶｃｈを生成するために、チャージポンプ２２の二相動作が必要とされる。トラッキングフェーズ中において（φ＝１である場合）、キャパシタＣｃｈは供給電圧Ｖｄｄまで充電され、キャパシタＣｃａｌは０Ｖまで充電される。ホールドフェーズ中において（φ＝０）、Ｃｃｈ及びＣｃａｌの両方は、Ｃｂｓに並列接続され、Ｖｃｈを生じる。Ｖｃｈは、明らかに、Ｃｃｈ及びＣｃａｌの値に依存する。高い値のＶｃｈを達成するために、Ｃｃａｌは、Ｃｃｈ及びＣｂｓに比較して小さくされるべきである。このことは、概して、以下で説明するように高調波歪みのために有益である。本明細書で、Ｖｃｈの調整は、Ｃｃａｌを調整することによって達成される。しかしながら、このようにＶｃｈを調節することは、サンプリングスイッチのオーバードライブが変更される場合、Ｃｂｓの調整に反して、Ｖｂｓの入力依存部分を変更しない。さらに、調整可能なキャパシタだけ（すなわちＣｃａｌ）が必要とされるので、Ｖｃｈのためのこのチューニング方法は、無視できるオーバヘッドで実現可能である。
【００４４】
図５は、２０ｆＦのサンプリングキャパシタミスマッチの場合（左側のプロット）及び２０ｍＶのブートストラップ電圧ミスマッチの場合（右側のプロット）について、入力周波数ｆｉｎの関数として、帯域幅ミスマッチに起因するインタリービングスパーの大きさＨＤｉｎｔのシミュレーション結果を示す。ミスマッチの較正は７５ＭＨｚの入力周波数について行われた。シミュレーション結果は、明らかに、任意の入力周波数にわたってインタリービングスパーの大きさに劣化が生じないことを示す。シミュレーション結果は、明らかに、提案した解決方法が信号独立の帯域幅ミスマッチの較正を達成することを示す。
【００４５】
概して、サンプリングトランジスタ１１のオン抵抗は、より大きなオーバードライブ電圧によって減少されることが可能であり、これにより、単一チャネルのサンプリング段の線形性を改善することができる。実際上、図４においてＶｂｓを生成している間に、このオーバードライブ値は、図２の従来のブートストラップ回路に比較して低減される。これは、インターリーブ型変換器の各個別チャネルで増大した高調波歪みにもたらす。このことは図６に示され、ここでは、与えられたサンプリングトランジスタサイズに係る全高調波歪率（ＴＨＤ）のシミュレーション結果をＶｃｈの関数として示す。
【００４６】
図７に示す方式は、少なくとも供給電圧Ｖｄｄ以上のＶｃｈ電圧を生成することにより、低減されたオーバードライブ値の欠点を克服する。φ＝１である場合、キャパシタＣｃａｌ及びＣｃｈの両方はＶｄｄまで充電され、サンプリングトランジスタ１１はトラッキングモードにある。ホールドフェーズ中において（すなわち、φ＝０である場合）、Ｃｃａｌ及びＣｃｈの両方は、後者を充電するブートストラップキャパシタ２１へ直列接続されている。言いかえれば、Ｖｃｈ電圧は、Ｃｃｈ及びＣｃａｌの直列接続を備えるチャージポンプによって生成される。Ｃｃａｌを変化させることによって、φ＝０の終わりにおけるＣｂｓ上の電圧を変化させることができる。したがって、Ｃｃａｌ及びＣｃｈの値を十分に大きくするために、ブートストラップキャパシタ２１は、Ｖｄｄより高い電圧Ｖｃｈまで充電される。Ｃｃａｌ値を調整し、Ｃｃａｌ、Ｃｃｈ、Ｃｂｓ、及びＣｐａｒの間のキャパシタ比を最適化することによって、サンプリングスイッチトランジスタ１１のゲート・ソース電圧Ｖｇｓは、Ｖｄｄを超過することなく、Ｖｄｄに非常に接近させられることが可能である。ＶｇｓがＶｄｄを超過しなくても、図７でＶｃｈ及びＶｂｓの間で接続されて示されたスイッチＳＷ１に関する潜在的な信頼性の問題が残る。ホールドフェーズ中において（φ＝０である場合）、ＳＷ１の一方の側は接地に接続され、他方の側は、供給電圧Ｖｄｄより大きいＶｃｈに接続される。スイッチＳＷ１は、通常はトランジスタを備える。多くの場合において、そのトランジスタのソース・ドレイン電圧Ｖｄｓは、ホットキャリア注入を回避するために供給電圧よりも小さくされることが要求される。この信頼性の問題を克服するために、図８に示すように、もう１つのスイッチ（ＳＷ２）をＳＷ１に直列に追加することができる。ホールドフェーズ中において、ＳＷ２はＶｃｈ及びＶｄｄに接続され、ＳＷ１はＶｄｄ及び接地に接続されている。この場合、各スイッチＳＷ１及びＳＷ２のソース・ドレイン電圧は、Ｖｄｄ未満である。優位点として、図８に示す回路中のすべてのスイッチは、信頼性の懸念なしにトランジスタで実装されてもよい。さらに、図８の実装は、さらに高いゲート電圧（すなわち、Ｖｂｓ≫Ｖｄｄ）をサンプリングスイッチに印加することで、サンプリング回路の線形性をさらに完全することができる。さらに高いゲート電圧（すなわち、Ｖｂｓ≫Ｖｄｄ）をサンプリングスイッチに印加することは、次いで、そのオン抵抗をさらに低下させる。
【００４７】
したがって、提案した解決方法は、インターリーブ型ＡＤＣのための高度に線形のサンプラにおいて所望の特性を達成する。それは、キャパシタ比ではなくＶｃｈを変更することで、寄生利得ミスマッチを追加することなく帯域幅調整を可能にする。それは、サンプリングスイッチのトラックモードのゲート電圧を変化させることで達成される。サンプリングスイッチのトラックモードのゲート電圧を変化させることは、クロック及び入力の周波数にわたるミスマッチの影響の良好に相殺する。さらに、それは、代わりに、いくつかのプログラミング可能なキャパシタに依存して、電圧ＤＡＣの必要性を回避する。それにより、実装するのが大幅に簡単になる。最後に、適切な設計によって、図７の構成は、安全に達成可能な最高のゲート・ソース電圧をサンプリングスイッチに供給する。このことは、サンプリングの高調波歪みを大幅に改善する。
【００４８】
以上の説明及び図面において本発明を詳細に説明して図示したが、そのような説明及び図面は、実例又は例示であって、限定ではないものとみなされるべきである。先の説明は、本発明のある実施形態を詳述する。しかしながら、明細書中の説明がどれほど詳細であっても、本発明は多くの方法で実施されてもよいということは認識されるだろう。本発明は開示された実施形態に限定されるものではない。
【００４９】
開示した実施形態への他の変形は、図面、開示、及び添付された特許請求の範囲の研究から請求項に記載された発明を実施する際に当業者によって理解されて実施されることが可能である。特許請求の範囲において、単語「ｃｏｍｐｒｉｓｅ」（「備える」又は「含む」は他の構成要素又はステップを除外せず、不定冠詞「ａ」又は「ａｎ」は複数を除外しない。単一のプロセッサ又は他のユニットが、特許請求の範囲に記載したいくつかの特徴の機能を満たしてもよい。ある手段が相互に異なる従属請求項に記載されているという単なる事実は、これらの手段の組み合わせを有利に使用することができないということを示さない。コンピュータプログラムは、他のハードウェアとともに、又はその一部として提供される光記憶媒体又はソリッドステート媒体のような適切な媒体上に格納／配信されてもよいが、インターネット又は他の有線もしく無線の通信システムを介するような、他の形式で配信されてもよい。請求項でのいかなる符号も範囲の限定として解釈されるべきではない。
【図１】
0006574609.tif 000002
【図２】
0006574609.tif 000003
【図３】
0006574609.tif 000004
【図４】
0006574609.tif 000005
【図５】
0006574609.tif 000006
【図６】
0006574609.tif 000007
【図７】
0006574609.tif 000008
【図８】
0006574609.tif 000009